(57)【要約】本発明は、仮想現実バイザのための清掃および消毒受け台に関する。以前は、バイザは、人間の係員がアルコール拭き取りを用いてバイザを拭き取ることによって、使用の合間に清掃されていたが、それは、人的ミスを生じやすい。本発明の実施形態は、ヘッドセットを収容するために十分な内容積を有するチャンバを使用する。電力供給源が、チャンバに結合され得る。紫外線（ＵＶ）光源が、電力供給源に結合され得る。ＵＶ光源は、ＵＶ光をユーザの顔に対して設置するために構成されたヘッドセットの表面上を照射し、表面上のバクテリアおよびウイルスを死滅させるために配置される。
2019529052.tif 000002
【特許請求の範囲】
【請求項１】
ヘッドセットを消毒および清掃するための装置であって、前記装置は、
前記ヘッドセットを収容するために十分な内容積を有するチャンバと、
前記チャンバに結合された電力供給源と、
前記電力供給源に結合された紫外線（ＵＶ）光源であって、前記ＵＶ光源は、ユーザの顔に対して設置するために構成された前記ヘッドセットの表面上にＵＶ光を照射するために配置されている、ＵＶ光源と、
前記チャンバの壁に結合された空気噴射ポートと、
前記空気噴射ポートに接続された閉回路空気管と
を備え、
前記閉回路管は、加圧された空気を前記ヘッドセットの周囲に吹きつけることにより、有機堆積物を前記ヘッドセットの表面から除去し、かつ前記ヘッドセットを乾燥させるために配置された通気口を含む、装置。
【請求項２】
前記ＵＶ光源は、リング形状の本体を備え、前記ＵＶ光源は、前記リング形状の本体の周辺の周囲に位置付けられた複数のＵＶ発光ダイオード（ＬＥＤ）を含む、請求項１に記載の装置。
【請求項３】
前記リング形状の本体の周辺は、前記ヘッドセットの内周内に収まるようにサイズを決定され、前記ヘッドセットの内周は、前記ユーザの顔に対して設置するために構成された前記ヘッドセットの表面と、前記ヘッドセットを前記ユーザの頭部の周囲に固定するように構成された前記ヘッドセットのストラップまたはアームとの間の開放エリアによって画定される、請求項２に記載の装置。
【請求項４】
前記ＵＶ  ＬＥＤは、前記リング形状の本体の外側表面上に位置付けられており、前記本体の外側表面は、前記ヘッドセットが前記チャンバの中に設置されているとき、前記ヘッドセットの内周に面している、請求項３に記載の装置。
【請求項５】
前記閉回路空気管の前記通気口は、前記ユーザの顔に対して設置するために構成された前記ヘッドセットの表面の一部に空気を直接吹きつけるように位置付けられている、請求項１に記載の装置。
【請求項６】
ヘッドセットを消毒および清掃するためのシステムであって、前記システムは、
前記ユーザの顔に対して設置するために構成されたヘッドセットの表面に適用されるナノテクコーティングと、
前記ヘッドセットを収容するために十分な内容積を有するチャンバと、
前記チャンバに結合された電力供給源と、
前記電力供給源に結合された紫外線（ＵＶ）光源と
を備え、
前記ＵＶ光源は、ユーザの顔に対して設置するために構成された前記ヘッドセットの表面上にＵＶ光を照射するために配置されている、システム。
【請求項７】
前記チャンバの壁に結合された空気噴射ポートと、
前記空気噴射ポートに接続された閉回路空気管と
をさらに備え、
前記閉回路管は、加圧された空気を前記ヘッドセットの周囲に吹きつけることにより、前記ユーザの顔に対して設置するために構成された前記ヘッドセットの表面から有機堆積物を除去し、かつ前記ヘッドセットを乾燥させるために配置された通気口を含む、請求項６に記載のシステム。
【請求項８】
前記ＵＶ光源は、ＵＶ−Ｃタイプ光を放出する、請求項６に記載のシステム。
【請求項９】
前記ＵＶ光源は、リング形状の本体を備え、前記ＵＶ光源は、前記リング形状の本体の周辺の周囲に位置付けられた複数のＵＶ発光ダイオード（ＬＥＤ）を含む、請求項６に記載のシステム。
【請求項１０】
前記ＵＶ  ＬＥＤは、前記ヘッドセットが前記チャンバの中に設置されているとき、ユーザの顔に対して設置するために構成された前記ヘッドセットの表面から２インチ以内に位置付けられている、請求項９に記載のシステム。
【発明の詳細な説明】
【技術分野】
【０００１】
本明細書に説明される実施形態は、概して、ヘッドセットに関し、より具体的には、仮想現実バイザのための清掃および消毒受け台に関する。
【背景技術】
【０００２】
仮想現実（ＶＲ）バイザ（頭部搭載型ディスプレイ）および他のヘッドセットは、公共の実演会場において使用されるとき、同様の脆弱性を有する。バイザは、それらを使用する多くの個人の顔に直接接続し、それは、バイザを感染病原体（接触、くしゃみ等を介して）のみならず人から人へと伝えられる一般的な泥および油のためのルートにし得る。
【０００３】
典型的には、バイザは、人間の係員がアルコール拭き取りでバイザを拭き取ることによって、使用の合間に清掃されるが、それは、人的ミスを生じやすい。さらに、拭き取りは、バイザ内の全ての割れ目および隅に到達することができず、堆積物および感染病原体が蓄積することを可能にする。
【０００４】
したがって、必要とされるのは、ＶＲバイザ等のヘッドセットを十分に清掃および消毒するためのデバイスである。
【発明の概要】
【課題を解決するための手段】
【０００５】
本開示の一側面では、ヘッドセットを消毒および清掃するための装置は、ヘッドセットを収容するために十分な内容積を有するチャンバを備えている。電力供給源が、チャンバに結合され得る。紫外線（ＵＶ）光源が、電力供給源に結合され得る。ＵＶ光源は、ＵＶ光をユーザの顔に対して設置するために構成されたヘッドセットの表面上に照射し、表面上のバクテリアおよびウイルスを死滅させるために配置される。空気噴射ポートが、チャンバの壁に結合され得る。加えて、閉回路空気管が、空気噴射ポートに接続され得る。閉回路管は、加圧された空気をヘッドセットの周囲に吹きつけ、有機堆積物をヘッドセットの表面から除去し、かつヘッドセットを乾燥させるために配置された通気口を含む。
【０００６】
別の側面では、ヘッドセットを消毒および清掃するためのシステムは、ユーザの顔に対して設置するために構成されたヘッドセットの表面に適用されるナノテクコーティングを備えている。チャンバは、ヘッドセットを収容するために十分な内容積を有する。電力供給源が、チャンバに結合され得る。加えて、紫外線（ＵＶ）光源が、電力供給源に結合され得る。ＵＶ光源は、ＵＶ光をユーザの顔に対して設置するために構成されたヘッドセットの表面上に照射し、バクテリアまたはウイルスを死滅させるために配置される。
【図面の簡単な説明】
【０００７】
本発明のいくつかの実施形態の詳細な説明は、下記の付随の図を参照して行われ、同様の番号は、図の対応する部分を表す。
【０００８】
【図１】図１は、ある実施形態による、チャンバ内のアイテムを清掃および消毒するためのチャンバの正面斜視図である。
【０００９】
【図２】図２は、図１のチャンバの上部斜視図であり、蓋が持ち上げられ、清掃／消毒するためのアイテムが内側に設置されたチャンバの内部を示す。
【００１０】
【図３】図３は、図２のチャンバの部分的拡大図であり、アイテムは、図から除去されている。
【００１１】
【図４】図４は、図２のチャンバ上に示されるスイッチの拡大部分図である。
【００１２】
【図５】図５は、図２のチャンバの内部に示されるファンの拡大部分図である。
【００１３】
【図６】図６は、図３のチャンバの内部に示される閉回路空気管の拡大部分図である。
【００１４】
【図７】図７は、図６の線７−７に沿って得られた断面図である。
【００１５】
【図８】図８は、図１のチャンバの背面斜視図である。
【００１６】
【図９】図９は、図１のチャンバの上部斜視図であり、上側コンパートメントは、下側コンパートメントから持ち上げられている。
【００１７】
【図１０】図１０は、図１の線１０−１０に沿って得られた断面図である。
【発明を実施するための形態】
【００１８】
本発明の以下の発明を実施するための形態では、本発明の多数の詳細、実施例、および実施形態が、説明される。しかしながら、本発明は、記載される実施形態に限定されず、本発明は、いくつかの用途のうちのいずれかのために適合され得ることが、当業者に明確かつ明白であろう。
【００１９】
本開示のデバイスは、種々のアイテムを清掃および消毒するために使用され得、特に、人物によって装着され、かつ異なる人々によって再装着されるアイテムが、本実施形態の側面がその用途において特に有用であることを見出すであろうことを理解されたい。例えば、バイザ、ヘッドセット、および眼鏡等の頭部装着型装備は、例えば、仮想現実アトラクションまたは３Ｄ映画等の娯楽設定において複数の人々の間で使用され得る。例証のために、以下の側面は、仮想現実（ＶＲ）用途のコンテキストにおいて説明されるであろうが、複数回、装着され、清掃および／または消毒される必要があり得る他のアイテムも、本発明の範囲から逸脱することなく、本開示の実施形態において使用され得ることを理解されたい。
【００２０】
一例として、図１−１０を参照すると、例示的実施形態によるアイテムを清掃および／または消毒するためのシステムが、示される。一般に、示されるシステムの側面は、単独で、または組み合わせてのいずれかによって、紫外線（ＵＶ）光、加圧された空気、および抗菌コーティングを使用して、アイテムを清掃および／または消毒する。
【００２１】
例えば、システムは、チャンバを含み得、それは、いくつかの実施形態では、清掃されているアイテムの１つ以上の表面に適用されるナノテクコーティング５５と連動して働く。ナノテクコーティングは、例えば、ユーザの顔またはこめかみの周囲等の人物の皮膚と接触するように設計される表面に適用され得る。図２では、ナノテクコーティング５５は、ＶＲヘッドセット５０の一部であるゴーグルの内側シールに適用される。ゴーグルの内側表面は、ヘッドセットが装着されると、ユーザの眼の周囲のユーザの顔に対して接触するように構成される。理解され得るように、それは、同一アイテムが人々の間で使用されるために渡されるとき、バクテリアおよびウイルスの拡散を生じやすい特に敏感なエリアである。ナノテクコーティング５５は、バクテリアを互いから隔離し、したがって、生物膜の生成およびウイルス／バクテリアの複製を防止する。ＵＶ光源２２が、消毒用ＵＶ光を少なくともユーザの顔に接触するであろうＶＲヘッドセット５０の表面上に照射する。理解され得るように、ナノテクコーティング５５は、隔離されながら、ＵＶ光がバクテリアおよびウイルスを死滅させることをより容易にする。
【００２２】
例示的実施形態では、チャンバは、ヒンジ５８を介して上側コンパートメント本体５４に取り付けられる蓋５２を含むボックスであり得る。上側コンパートメント本体５４は、別のヒンジ５８を介して、下側コンパートメント本体５６に接続され得る。チャンバは、ＵＶ光源２２と、閉回路空気管２６と、ＵＶ光源２２等の電気コンポーネントに給電する電力供給源４２とを含み得る。例示的実施形態では、ＵＶ光源２２は、蓋５２の内部側に取り付けられ得る。ＵＶ光源２２は、ＵＶ−Ｃスペクトル光を放出し得る。例示的実施形態では、ＵＶ光源２２は、ヘッドセット５０の内周内に収まるようにサイズを決定されたリング形状の本体であり得る。内周は、ユーザの顔に対して設置するために構成されたヘッドセット５０の表面と、ヘッドセットをユーザの頭部の周囲に固定しるように構成されるヘッドセット５０のストラップまたはアームとの間の開放エリアによって画定され得る。ＵＶ光源２２は、複数のＵＶ発光ダイオード（ＬＥＤ）４６を含み得、それらは、ヘッドセットがチャンバの中に設置されているときにヘッドセットの内周に面するリング形状の本体の外側表面上に位置付けられる。いくつかの実施形態では、換気ファン１０が、ＵＶ光源２２に取り付けられ、ＵＶ光源が過熱しないように、ＬＥＤ４６によって放出される熱を冷却し得る。
【００２３】
閉回路空気管２６は、チャンバの床上に位置付けられ得る。チャンバは、圧縮された空気源（図示せず）をカプラ３４を介して閉回路空気管２６に接続する迅速接続ポート３０も含み得る。いくつかの実施形態では、源から空気管２６の中への加圧された空気は、ポート３０と閉回路管２６との間に位置付けられるソレノイド弁３２を作動させるＣＰＵ３６によって制御される。例示的実施形態では、閉回路空気管２６は、実質的に円形であり、直径は、ヘッドセット５０の内周とほぼ同一サイズであるか、またはそれを若干下回る。閉回路空気管２６は、空気を、直接、ヘッドセット５０に、いくつかの実施形態では、直接、ゴーグルの内側シールに吹きつけるように配置された複数の通気口を含み得る。空気の流動は、図１０に示されるように、矢印４８によって表される。
【００２４】
動作時、ヘッドセット５０は、閉回路空気管２６がヘッドセット５０の下にあるように、チャンバ内に位置付けられ得る。蓋５２が閉鎖されると、リング形状のＵＶ光源２２は、ＵＶ  ＬＥＤ４６がヘッドセット５０の表面から２インチ以内にあり得るように、ヘッドセット５０の内周内に収まる。いくつかの実施形態では、スイッチ１２が、ＵＶ光源２２の動作、閉回路空気管２６を通る圧縮された空気の流動、または両方をアクティブにする。ＵＶ光源２２は、ヘッドセット５０の表面上に存在するバクテリアおよびウイルスを死滅させ得る。理解されるであろうように、光が近距離内に分散されるＵＶ−ＣベースのＬＥＤ４６を使用する実施形態は、近距離内（２インチ以内）で使用されるとき、非常に効果的であり、したがって、それほど長くアクティブにされる必要がないので、消毒のために必要な時間を短くし、光の寿命を長くする。ヘッドセット５０は、次いで、閉回路空気管２６の通気口を通して空気噴射送風を受け得、それは、前のユーザからの残っている有機堆積物および汗をヘッドセット５０表面から一掃し、表面を乾燥させ得、したがって、それらは、消毒され、次のユーザによる使用のための準備ができる。圧縮された空気は、ソレノイド弁３２を制御することによって、２０秒等の所定の期間にわたって、オン／オフインターバル（２秒のインターバル等）において、通気口を通してパルス化され得る。
【００２５】
いくつかの実施形態では、ＵＶ光源２２の動作および／または閉回路管２６を通した圧縮された空気の送風は、蓋５２を閉鎖することによって、自動的にトリガされ得る。いくつかの実施形態では、電力供給源４２は、住宅用電流源４４に接続可能である（図９参照）。配線６２は、電力供給源４２を、ファン１０、ＵＶ光源２２、ＣＰＵ３６、およびオクトカプラ３８に接続し得る。電力は、オクトカプラ３８内の８つのスイッチのいずれかに配電され、それは、ＣＰＵ３６がオクトカプラ３８に特定のゲートを開放するように伝え、その電力が流動することを可能にするまで、電力がそれらのスイッチを通してエンドデバイスに流動することを防止する。蓋５２は、ハンドル１８の使用によって、開放／閉鎖位置に移動され得る。蓋５２が、閉鎖されると、留め金２８が、ボックスを閉鎖された状態に固定し得る。いくつかの実施形態は、金属プレート６０上に係止される磁気係止部２０を含み得る。磁気係止部２０およびプレート６０からの配線は、上で説明されるように、システムの自動動作をトリガするために使用され得る閉回路信号をトリガし得る。いくつかの実施形態は、システムが動作のための準備ができていることを示す準備完了ライト１４、および／またはシステムが清掃および／または消毒のプロセス中であることを示すアクティブ化ライト１６を含み得る（図４参照）。
【００２６】
本発明の上記に説明される実施形態は、限定ではなく、例証目的のために提示される。本発明のこれらの実施形態は、多数の具体的詳細を参照して説明されたが、当業者は、本発明が、本発明の精神から逸脱することなく、他の具体的形態において具現化され得ることを認識するであろう。したがって、当業者は、本発明が、前述の例証的詳細によって限定されず、むしろ、添付の請求項によって定義されることを理解するであろう。
【産業上の利用可能性】
【００２７】
開示される発明の実施形態は、ヘッドセットを消毒および清掃するために有用であり得る。
【図１】
2019529052.tif 000003
【図２】
2019529052.tif 000004
【図３】
2019529052.tif 000005
【図４】
2019529052.tif 000006
【図５】
2019529052.tif 000007
【図６】
2019529052.tif 000008
【図７】
2019529052.tif 000009
【図８】
2019529052.tif 000010
【図９】
2019529052.tif 000011
【図１０】
2019529052.tif 000012
【国際調査報告】
2019529052.tif 000013